(57)【要約】      （修正有）【課題】詰まりを未然に防止する排水管詰まり防止具及び排水管を提供する。【解決手段】先端部に水流受圧体３を有し、排水口からトラップ底部を経由して最上部を超える長さの線状体２にて構成される排水管詰まり防止具。水流にて排水管内に挿入、常設し、時々水を流しながらこの排水管詰まり防止具を上下に往復運動させ、排水管内部のヘドロを切断しながら水と共に排出し、詰まりを未然に防止する。【選択図】図１
0003168799.tif 000002
【実用新案登録請求の範囲】
【請求項１】
Ｓ字形トラップ又はＵ字形トラップを有する排水管の詰まり防止具において、排水管入り口からＳ字形トラップ又はＵ字形トラップの底部を経由して前記Ｓ字形トラップ又はＵ字形トラップの最上部を越える長さを有する屈曲自在な線状体と、前記線状体の片側の先端近傍に排水管内径より十分小さい水流受圧体とを設けた事を特徴とする排水管詰まり防止具。
【請求項２】
請求項1に記載した線状体が天然素材或いはプラスチック素材或いは金属素材で作られた、糸又は柔軟なワイヤ又は鎖又はチエーンである事を特徴とする請求項１に記載した排水管詰まり防止具。
【請求項３】
請求項１、２に記載した排水管詰まり防止具を排水管内に具備した事を特徴とする排水管。
【考案の詳細な説明】
【技術分野】
【０００１】
本考案は、洗面台等に使用されているＳ字形やＵ字形に折れ曲がったトラップを有する排水管の詰まりを防止する排水管詰まり防止具及び排水管に関する。
【背景技術】
【０００２】
排水管の詰まりを防止するため、従来から詰まりの原因となる毛髪等固形状のごみを除去する排水口カバーが普及している。
しかしながら特にＳ字形やＵ字形に折れ曲がったトラップを有する洗面台等の排水管において、上記の固形状のごみをあらかじめ除去したとしても排水に含まれる蛋白質や油分により、排水管内壁にヘドロが付着、堆積し、排水が流れ難くなり、ついには排水不能に陥る事がある。
【０００３】
排水管内壁に付着、堆積したヘドロを除去する清掃具として、自在に曲がるワイヤにからめて取り付けた複数のブラシからなる清掃具が普及している。この種の清掃具は、上記ブラシを排水管の中に挿入して押し引きする事により、排水管内壁に付着したヘドロ等の異物をかきとり、該排水管内の詰まりを解消するものである。
しかしながら、上記のブラシはＳ字形やＵ字形に折れ曲がったトラップを有する排水管には挿入しにくい。又洗面台の排水管には、大きな異物が排水管に流入する事を防止するため、十文字形のクロスワイヤが内蔵されている事が多く、挿入が難しい事も多い。
又、高圧水を入り口から噴射し除去する事も行われている。この場合専門の業者に委託せざるを得なく、コストがかさむ他、容易でない。
【０００４】
従来技術として、下記に示す（特許文献１）から（特許文献４）等が公開されている。特許文献１は排水管に沿って挿入するワイヤ形の清掃具に関するものである。特許文献２は棒の一部に糊をつけ、糊の部分におが屑をつけU字形トラップに詰まる毛髪や汚泥物を絡めとるものである。
特許文献３と特許文献４は、排水管入り口に取り付けられる排水口カバーに関するものである。
【先行技術文献】
【特許文献】
【０００５】
【特許文献１】特開２０１１−５６４０９号公報
【特許文献２】特開２００２−８８８５７号公報
【特許文献３】特開２００１−２０３４２号公報
【特許文献４】登録実用新案第３０３４９６０号公報
【考案の概要】
【考案が解決しようとする課題】
【０００６】
従来技術の課題を下記に記す。
（１）排水管入り口に排水口カバーを設置し、毛髪等固形物が排水管に流入する事を防止したとしても、水と一緒に流れる流動物であるたんぱく質および油分等がヘドロ状に排水管の内壁に付着、堆積し、排水が阻害され、やがては完全に詰まり、排水不能となる。
（２）とくに上記のヘドロはＳ字形およびＵ字形トラップの曲がり部に堆積し易い。
（３）上記１、（２）の一解決策として上記特許文献１に掲げるワイヤ形清掃具や高圧水の利用又は、曲がり部の分解による清掃などが行われているが、手間がかかるため完全に詰まるまで放置される事が多い。
（４）一方、異物を化学的に溶かす薬品も普及しているが、環境破壊の点で心配がある。
【０００７】
上記問題は詰まりを未然に防げれば解決する。本考案は詰まりを未然に防止する排水管詰まり防止具及び排水管を提供する事を目的とする。
【課題を解決するための手段】
【０００８】
上記課題は以下の手段により解決される．
請求項１の考案は、排水管入り口から少なくともＳ字形トラップ又はＵ字形トラップの底部を経由して最上部を越える長さの屈曲自在な線状体と、前記線状体の片側の先端近傍に排水管内径より十分小さい水流受圧体とを設けた事を特徴とする排水管詰まり防止具である。この線状体の水流受圧体と反対側は排水口カバー或いは流入ストッパーに連結される。排水管詰まり防止具は、水流受圧体側を排水管内垂らしながら水流にて挿入、設置する。水流受圧体は例えば径が数ミリ程度の球体状、或いは三角錐状であり、水流による圧力を受け屈折したトラップに沿ってスムースに流れ、線状体を引っ張りながら挿入する役割を担う。
排水管内部の清掃は水を流しながら上記排水管詰まり具を上下に往復運動させる事により行われる。
請求項３の考案は、請求項1に記した線状体が天然素材或いはプラスチック素材或いは金属素材で作られた、糸又は柔軟なワイヤ又は鎖又はチエーンである事を特徴とする請求項１ならびに請求項２に記した排水管詰まり防止具である。
請求項４の考案は、請求項１、請求項２、請求項３に記載した排水管詰まり防止具を排水管内に具備した事を特徴とする排水管である。これらにより排水管の詰まりを未然に防止できる。
【考案の効果】
【０００９】
きわめて簡単な手段により、積年の課題である排水管の詰まりを防止できる。既設の洗面台等の排水管の殆どに適用できる。
【図面の簡単な説明】
【００１０】
【図１】本考案における、排水管詰まり防止具の概略図である。
【図２】トラップ付排水管汚れの説明図である。
【図３】トラップ付排水管への取り付け及び清掃法の説明図である。
【図４】供用状態の概略図である。
【考案を実施するための形態】
【００１１】
図１は排水管詰まり防止具の概略図を、図２はトラップ付排水管汚れの説明図、図３はトラップ付排水管への取り付け及び清掃方法の説明図、図４は供用状態の概略図である。
【００１２】
排水管詰まり防止具について、図１を用いて以下に詳述する。
排水管詰まり防止具は、排水口カバー１ａ又は流入ストッパー１ｂと、線状体２と、水流受圧体３にて構成される。
流入ストッパー１ｂは、排水口径より若干大きいリング状で、線状体２が流れ落ちる事を防止する。
排水口カバー１ａは、排水口径より若干大きい鍔をもつカップで、カップは水が貫通するメッシュ材または多孔材にて形成され、線状体２が流れ落ちる事を防止すると共に毛髪等固形状ごみを捕獲する。線状体２は、紐状で、その長さは排水口入り口からＵ字形トラップの底及びトラップの最上部を超え、排水直管にたれる程度である。線状体の先端付近には水流受圧体３が設けられている。
水流受圧体３の形状は、直径６ｍｍ、高さ８ｍｍの円錐体である。この円錐体の中心軸上に穴を開け、円錐体の頂点が線状体の先端を向くように紐を通し固定した。ただし、水流受圧体３の形状、寸法は、水流を阻害しない大きさでかつ水流により挿入し易い形状であれば初期の目的を達成できるため、上記に限定するものではない。ただし、一般的に排水管の内径は、約２８ｍｍで、入り口から50ｍｍ程度奥に固形物流入防止の十文字型のクロスワイヤがついている事が多い。このため水流受圧体の径は９ｍｍ以下である事が望ましい。
水流受圧体３は、先端付近に１個の他、線状体の任意の位置に複数個つけても良い。中間の水流受圧体の設置は、線状体２を水流にて挿入する場合にむしろ抵抗になる事もあるが、線状体２の往復運動よる排水管内の清掃時、ヘドロが掻き取り易くなる。
尚、洗面台には、専用の排水口カバー１ａが具備している場合も多い。この場合は、線状体２を該排水口カバー１ａに取り付ける、或いは該排水口カバー１ａの代わりに、排水口に収まるリング状の流入ストッパー１ｂに線状体２を取り付け、水流にて線状体２を排水管に挿入し、流入ストッパー１ｂを排水管入り口に納め、この流入ストッパー１ｂの上に該排水口カバー１ａを重ねて使用する。後者の利用法では、該排水口カバー１ａが線状体２と切り離されているため排水口カバー１ａの清掃が容易になる。
【００１３】
図２は、排水管内部におけるヘドロの堆積状況を示している。この堆積物は通常の使用状態では柔らかいケーキ状で、排水管壁から中心向かって同心円状に成長し排水を阻害する。
図３は、排水管詰まり防止具の取り付け方法及び清掃方法の説明図である。排水管詰まり防止具は排水口カバー１ａ或いは流入ストッパー１ｂを手で保持し、図に示すように上記洗面台４の排水口５から、線状体２をたらしながら挿入される。この時水９を流しながらこの作業を行うと、水流受圧体３が水流により圧力を受け排水管に吸い込まれ、容易に挿入する事ができる。
【００１４】
又、清掃は、図３のように排水口カバー１ａ或いは流入ストッパー１ｂを手等で持ち上げ、水を流しながら、線状体２を上下に往復運動する事によって行われる。線状体２の往復運動により排水管内部のヘドロは排水管軸方向に切断され水と共に排出される。特に最も詰まりやすい曲がりの内回り部のヘドロが破壊される。排水不良を感じた時、この清掃作業を上下に１０ｃｍ程度数回出し入れする事により排水は回復する。
排水口カバー１ａは、毛髪等固形の異物が排水管中に流れ込む事を防止している。このため、異物がたまった場合、これを取り除く必要があり、一般的にこの作業は日常的に行われている。この時線状体２も引き出されるのでヘドロの切断も行われる。排水口カバー１ａを清掃後、水を流しながら線状体２を排水管内に戻す事により、排水管内の清掃も意図せずおこなわれる。
数ヶ月使用後、排水管を分解して内部の様子を観察した。管壁にはヘドロの付着は見られたが線状体２に沿って管径の５０％程度の水の通り道が存在していた。即ち、この程度の貫通孔を確保できれば排水不良とはならず、使用上問題ないものと思われる。
図４は供用状態を示している。
【産業上の利用可能性】
【００１５】
本考案に係わる排水管詰まり防止具は、きわめて簡単な構造にて積年の課題である洗面台等排水管の詰まりを解消できる。
【符号の説明】
【００１６】
１ａ：排水口カバー
１ｂ：流入ストッパー
２：線状体
３：水流受圧体
４：洗面台
５：排水口
６：Ｕ字管
７：ヘドロ
８：線状体の動き
９：水の流れ
【図１】
0003168799.tif 000003
【図２】
0003168799.tif 000004
【図３】
0003168799.tif 000005
【図４】
0003168799.tif 000006